(57)【特許請求の範囲】
【請求項１】
収納スペースを上下方向に区画する横仕切り板と、この横仕切り板に隣接する位置にあって前記収納スペースを左右方向に区画する縦板とにまたがって補強板を装着し、この補強板にヒンジ軸を介して扉を連結することにより蝶番装置を構成しており、前記横仕切り板の前端にスリットを形成するとともに、前記縦板の一部に前記補強板の厚みに略対応する凹所を設け、前方から前記補強板の基端及び先端の係合部を前記スリット及び前記凹所に同時に差し込む位置関係に設定していることを特徴とする収納装置。
【請求項２】
収納スペースを上下方向に区画する横仕切り板に平板アームの基端を固定し先端を横仕切り板の前端から突出させた位置に配するとともに、扉側に受け具を取り付け、平板アームの先端と受け具の間をヒンジ軸で連結して蝶番装置を構成したものにおいて、
前記平板アームの先端側の一部に係合部を設定するとともに、収納スペースを左右方向に区画する縦板の一部に前記平板アームの厚みに略対応する凹所を設け、前記係合部を前記凹所に係合させた状態で前記平板アームの基端を前記横仕切り板に固定していることを特徴とする収納装置。
【請求項３】
平板アームが一方向に延びる基端片及び前記一方向と交叉する方向に延びる先端片を有するほぼＬ字形をなし、先端片の先端にヒンジ軸の連結部を設定するとともに、その連結部よりも前記一方向側へ偏位した位置に前記凹所への係合部を設けている請求項２記載の収納装置。
【請求項４】
凹所が、縦板に設けられた切欠である請求項２又は３何れかに記載の収納装置。
【請求項５】
縦板が板金製のものであり、板金を折り曲げたコーナー部に切欠が形成してある請求項４記載の収納装置。
【請求項６】
横仕切り板の前端にスリットを形成し、前方から平板アームの基端及び先端の係合部を前記スリット及び前記凹所に同時に差し込む位置関係に設定していることを特徴とする請求項２〜５何れかに記載の収納装置。
【請求項７】
平板アームが一方向に延びる基端片及び前記一方向と交叉する方向に延びる先端片を有するほぼＬ字形をなし、先端片の先端の係合部を前記基端片と離間した位置において前記一方向に突出させて設けるとともに、これに対応して、横仕切り板のスリットと縦板の凹所との間を離間させて設けている請求項６記載の収納装置。
【請求項８】
横仕切り板に、上の扉を支持する平板アームと下の扉を支持する平板アームを上下のスリットを介して取り付けるとともに、それらの平板アームの先端を縦板の対応位置に設けた凹所にそれぞれ係合させている請求項６又は７何れかに記載の収納装置。
【発明の詳細な説明】
【技術分野】
【０００１】
本発明は、横仕切り板に取り付けられる収納装置に係り、その支持強度を有効に向上させた収納装置に関するものである。
【背景技術】
【０００２】
従来より、家具本体と扉の間に簡素な構造で蝶番を構成する構造の一つとして、家具本体の収納スペースの境界に位置する底板と天板にそれぞれ金属等からなるＬ字形平板アームを取り付けるとともに、扉側に樹脂製の受け具を取り付け、Ｌ字形平板アームに設けたヒンジ部を受け具の対応位置に設けた係合孔に挿入係合させて蝶番の役割をなすようにしたものが知られている（例えば特許文献１参照）。
【先行技術文献】
【特許文献】
【０００３】
【特許文献１】特開平９−２９１７４５号公報
【発明の概要】
【発明が解決しようとする課題】
【０００４】
ところが、このような収納スペースを高さ方向に複数区画する場合には、収納スペースの境界に位置する比較的支持強度の低い横仕切り板に平板アームを介して扉の荷重を支持させることになる。このため、何らかの補強を施すことが必要となるが、横仕切り板自体の取付強度を高めることは大掛かりな設計変更等を伴うため、これをせずに補強できることが望ましい。また、平板アームの先端に厚み方向の荷重が加わると平板アーム自身に変形のおそれもあることから、これへの対策を施すことも望まれる。
【０００５】
本発明は、このような課題に着目し、平板アームの取付構造を工夫することで、横仕切り板の補強のみならず平板アーム自身の補強をも図った収納装置を提供することを目的としている。
【課題を解決するための手段】
【０００６】
本発明は、かかる目的を達成するために、次のような手段を講じたものである。
【０００７】
すなわち、第１の発明の収納装置は、収納スペースを上下方向に区画する横仕切り板と、この横仕切り板に隣接する位置にあって前記収納スペースを左右方向に区画する縦板とにまたがって補強板を装着し、この補強板にヒンジ軸を介して扉を連結することにより蝶番装置を構成しており、前記横仕切り板の前端にスリットを形成するとともに、前記縦板の一部に前記補強板の厚みに略対応する凹所を設け、前方から前記補強板の基端及び先端の係合部を前記スリット及び前記凹所に同時に差し込む位置関係に設定していることを特徴とする。
【０００８】
このように構成すると、横仕切り板は補強板によって縦板に連結され、補強板から横仕切り板に作用する扉の荷重は縦板においても支持されるので、横仕切り板が補強され、同時に補強板自体の厚み方向の剛性も高められることになる。このため、簡単な構造で、扉の適正な支持と補強板の変形防止とを図ることが可能となる。さらには、横仕切り板の前端にスリットを形成するとともに、縦板の一部に前記補強板の厚みに略対応する凹所を設け、前方から補強板の基端及び先端の係合部を前記スリット及び前記凹所に同時に差し込む位置関係に設定していることから、蝶番装置の取り付けを簡素化することもできる。
【０００９】
また、第２の発明の収納装置は、収納スペースを上下方向に区画する横仕切り板に平板アームの基端を固定し先端を横仕切り板の前端から突出させた位置に配するとともに、扉側に受け具を取り付け、平板アームの先端と受け具の間をヒンジ軸で連結して蝶番装置を構成したものにおいて、前記平板アームの先端側の一部に係合部を設定するとともに、収納スペースを左右方向に区画する縦板の一部に前記平板アームの厚みに略対応する凹所を設け、前記係合部を前記凹所に係合させた状態で前記平板アームの基端を前記横仕切り板に固定していることを特徴とする。
【００１０】
このように構成すると、横仕切り板は平板アームによって縦板に連結され、平板アームから横仕切り板に作用する扉の荷重は凹部において縦板にも支持され、平板アーム自体の厚み方向の剛性も高められることになる。このため、簡単な構造で、扉の適正な支持と平板アームの変形防止とを同時に図ることが可能となる。
【００１１】
平板アームが一方向に延びる基端片及び前記一方向と交叉する方向に延びる先端片を有するほぼＬ字形をなし、先端片の先端にヒンジ軸の連結部を設定している場合に、荷重支持を適切に行うためには、その連結部よりも前記一方向側へ偏位した位置に前記凹所への係合部を設けていることが望ましい。
構造簡素なものとしては、縦板に切欠を設けることによって凹所としているものが挙げられる。
また、構造簡素であっても所要の強度を確保するためには、縦板が板金製のものであり、板金を折り曲げたコーナー部に切欠が形成してあることが好適である。
蝶番装置の取り付けを簡素化するためには、横仕切り板の前端にスリットを形成し、前方から平板アームの基端及び先端の係合部を前記スリット及び前記凹所に同時に差し込む位置関係に設定しているが望ましい。
平板アームが一方向に延びる基端片及び前記一方向と交叉する方向に延びる先端片を有するほぼＬ字形をなしている場合に、スリットや凹所の強度を有効に担保するためには、先端片の先端の係合部を前記基端片と離間した位置において前記一方向に突出させて設けるとともに、これに対応して、横仕切り板のスリットと縦板の凹所との間を離間させて設けていることが好ましい。
本発明は、以上のような構成であるから、横仕切り板に、上の扉を支持する平板アームと下の扉を支持する平板アームを上下のスリットを介して取り付けるとともに、それらの平板アームの先端を縦板の対応位置に設けた凹所にそれぞれ係合させる構造の収納装置に適用して特に有用なものとなり得る。
【発明の効果】
【００１２】
本発明は、以上説明したように、収納スペースを上下左右に区画する横仕切り板と縦板とにまたがって補強板を装着し、この補強板にヒンジ軸を介して扉の荷重を支持させるようにしたものであり、補強板によって横仕切り板と縦板を連結することによる横仕切り板の強度向上と、補強板自身の強度向上とを通じて、簡単な構造で、扉の適正な支持と補強板の変形防止とを図り、もって信頼性と耐久性を有効に向上させた収納装置を提供することが可能となる。
【図面の簡単な説明】
【００１３】
【図１】本発明の一実施形態に係る蝶番装置を適用した収納装置の前方斜視図。
【図２】同蝶番装置を構成する平板アームの取付構造を要部を拡大して示す前方斜視図。
【図３】同蝶番装置の組み付け手順を説明するための斜視図。
【図４】同蝶番装置を構成する平板アームの取付状態を示す一部破断した前方斜視図。
【図５】同蝶番装置の作動を説明するための要部平断面図。
【図６】図５に対応した作用説明図。
【図７】図５及び図６に対応した作用説明図。
【図８】図５におけるＶＩＩＩ−ＶＩＩＩ線断面図。
【図９】図８におけるＩＸ矢視図。
【図１０】同蝶番装置のストッパ機構を説明するための要部斜視図。
【図１１】図１０に対応した作用説明図。
【発明を実施するための形態】
【００１４】
以下、本発明の一実施形態を、図面を参照して説明する。
【００１５】
図１は、本実施形態の蝶番装置Ａを適用した収納装置Ｂを示している。この収納装置Ｂは、天壁ｂ１、底壁ｂ２、左右の側壁ｂ３及び背壁ｂ４によって前方に開口する収納スペースを有する筐体ｂを構成し、その収納スペースを縦仕切り板ｂ５や横仕切り板ｂ６によって縦横に区画して収納装置本体１１を構成するとともに、この収納装置本体１１の各々区画された収納領域を開閉する位置に、蝶番装置Ａを用いて扉１２を取り付けたものである。
【００１６】
蝶番装置Ａは、収納装置本体１１の収納スペースを区画する天壁ｂ１や底壁ｂ２、横仕切り板ｂ６に図１〜図３に示すように金属製の平板アーム２を取り付けて先端を前方に突出させるとともに、扉１２側に樹脂製の受け具３を取り付け、平板アーム２の先端と受け具３との間をヒンジ軸４で連結することにより、扉１２を収納装置本体１１に回転可能に支持させている。
【００１７】
特に本実施形態では、収納スペースを上下に区画する図１及び図２に示す横仕切り板ｂ６に扉１２の全荷重が作用することにより横仕切り板ｂ６が強度不足に陥ることを防ぐために、平板アーム２を横仕切り板ｂ２のみならずその側方に位置する縦仕切り板ｂ５や側壁ｂ３等の縦板ｂｓにも同時に支持させて補強板として兼用する構造を採用するとともに、隣接する収納領域間の利用が干渉しないように、扉１２が図５→図６と開扉して図７に示すほぼ９０°の最大開き角度で樹脂製の受け具３が金属性の平板アーム２との間でストッパ機構を働かせるものであり、それ以上に扉１２が操作されたときにストッパ部分に生じる過大なこじれ力によって受け具３が損傷、破損しないための工夫が凝らしてある。
【００１８】
具体的に説明すると、平板アーム２は、図２に示すように一方向に延びる基端片２１及び前記一方向と交叉する方向に延びる先端片２２を有するほぼＬ字形をなし、先端片２２の先端にヒンジ軸４の連結部となる軸孔２２ａを形成するとともに、その軸孔２２ａから前記一方向へ偏位した位置に係合部たる係合片２２ｂを突出させている。係合片２２ｂと基端片２１とは所定距離ｄ１だけ離間している。また、基端片２１の一部には前記一方向に向かって漸次幅狭となる形状が付与してあり、その付け根を両側に拡幅させて、拡幅部の前方に係止壁２ｗを形成している。
【００１９】
一方、横仕切り板ｂ６は、前記平板アーム２の基端片２１の幅及び厚みに略対応しこれを挿入可能なスリット１１ａを前端面１１ｂに開口させてなるもので、スリット１１ａの内奥には、横仕切り板ｂ６の面板部に設けた開口１１ｃ及び平板アーム２の基端片２１に設けたねじ挿入孔２１ａを利用して当該基端片２１をねじ止め固定するための図示しない固定部が設けてある。スリット１１ａは上下一対に設けられ（１１ａ１、１１ａ２）、上のスリット１１ａ１に上の扉１２の下端側を支持する平板アーム２（２ａ１）が取り付けられ、下のスリット１１ａ２に下の扉１２の上端側を支持する平板アーム２（２ａ２）が取り付けられる。
【００２０】
他方、例えば縦板ｂｓは、板金素材を折り曲げ加工することによって形成されたもので、縦板ｂｓの前端１１ｄと横仕切り板ｂ６の前端１１ｂとは図２及び図６等に示すように略面一な位置若しくは面一に近い位置に設定されている。そして、板金を折り曲げた際のコーナー部に前記平板アーム２の厚みに略対応する凹所１１ｅが切欠によって形成してある。スリット１１ａと凹所１１ｅは同じ高さ位置にあり、その離間距離ｄ２は前記平板アーム２の基端片２１と係合片ｄ１との実質的な離間距離ｄ１にほぼ対応している。この凹所１１ｅも、前記上下一対のスリット１１ａ１、１１ａ２に対応して上下一対に設けられている（１１ｅ１、１１ｅ２）。
【００２１】
図１に示す天壁ｂ１や底壁ｂ２にも、前記横仕切り板ｂ６と同様に図２に示す平板アーム２１の基端片２１を取り付けるためのスリット１１ａと、当該平板アーム２１の係合片２２ｂを差し込むための凹所１１eとが設けてある。天壁ｂ１や底壁ｂ２自身は一般に強度部材であるが、同じ取付構造を採用する意味で同じ構造の平板アーム２を用いている。勿論、天壁ｂ１や底壁ｂ２の内部に縦板ｂ５を差し込んで、その差し込んだ部位に凹所１１ｅを形成してもよい。
【００２２】
一方、受け具３は、図１〜図３等に示すように、水平に延びる腕部３１と鉛直に垂下する脚部３２とを備えたＬ字形の樹脂成型体であり、扉１２の吊元側における上下のコーナー部の裏面にねじ等により取り付けられる。脚部３２の内部及び上面にはヒンジ軸４を貫通させるための軸孔３３が形成してあり、腕部３１の裏面には平板アーム２の先端片２２を受容する第１の凹部３４が設けてある。
【００２３】
ストッパ機構は、前記受け具３のコーナー部に金属製の当て板５を挿入して内部に図３及び図１０等に示す係止面５ｘを形成する一方で、図５及び図１０等に示すように前記平板アーム２の先端における軸孔２２ａの軸心ｍから偏位した位置の小口に切欠状の端面ををなす押付け部２ｘを設定し、図７及び図１０（ｂ）に示す所定の開き角度で前記押付け部２ｘを前記係止面５ｘに係止させるようにしたものである。
【００２４】
当て板は５、図３及び図５等に示すように、前記平板アーム２の軸孔２２ａに対応する軸孔５ａを有する水平片５１と、前記係止面５ｘとして働く小口を有する立片５２とを一体に有したＬ字形のもので、受け具３には、上端面に形成されて当て板５の水平片５１を装着する矩形状の第２の凹部３５と、この第２の凹部３５の一部にあって当て板５の立片５２を挿入する立孔３６とが設けてある。当て板５はその水平片５１を第２の凹部３５に装着した状態で前後左右に位置決めされるが、立孔３６の内奥には、図１１（ａ）に示すように当て板５の立片５２が押付け部２ｘによって押付けられた際にこれを受け止める受圧面３６ａと、立孔３６内で立片５２が厚み方向にガタつくことを規制するための図５及び図１１（ｂ）等に示す規制面３６ｂとが設けてある。
【００２５】
なお、前記受け具３には、図５のＶＩＩＩ−ＶＩＩＩ線断面図である図８及び図８におけるＩＶ矢視図である図９に示すように、軸孔３３への挿入途中にあるヒンジ軸４を第１の凹部３４の手前であり且つ第２の凹部３５の手前である仮保持位置において弾性的に係り合わせる弾性変形部３６ｐと、ヒンジ軸４を第１の凹部３４に通過させ且つ第２の凹部３５に通過させた位置に弾性的に係り合わせる弾性変形部３６ｑとが設けてある。また、受け具３には、当て板５の挿入位置で立片５２に設けた孔５２ａに係わって当て板５を弾性的に係止する弾性係止部３６ｃが設けてある。
【００２６】
組み付けに際しては、図２に示すように前方から平板アーム２の基端片２１及び先端片２２の先端に設けた係合片２２ｂを前記スリット１１ａ及び前記凹所１１ｅに同時に差し込み、係合片２２ｂを前記凹所１１ｅに係合させた状態で前記平板アーム２の基端片２１を前記横仕切り板ｂ６に固定する。一方、扉１２側の対応位置には、図３に示すようにねじｖ等によって受け具３を取り付けておく。そして、受け具３の第１の凹部３４及び第２の凹部３５にそれぞれ平板アーム２の先端および当て板５を装着した状態で、受け具３の軸孔３３にヒンジ軸４を挿入し、更に平板アーム２に設けた軸孔２２ａ及び当て板５に設けた軸孔５ａにヒンジ軸４を嵌合状態で貫通させることによって、平板アーム２と受け具３とを当て板５を含めて連結している。その際、ヒンジ軸４を図８及び図９に実線で示すように予め仮保持位置に保持させておき、組み付け後に想像線の位置まで押し込むことによって、連結を速やかに完了することができる。勿論、先に受け具３と平板アーム２とをヒンジ軸４で連結した後に受け具３に扉２を取り付けるなど、具体的な手順は問わない。
【００２７】
かかる組み付け状態において、扉２の荷重は、図４等に矢印Ｔ１で示すように平板アーム２の基端片２１を介して横仕切り板ｂ６に支持されるとともに、先端片２２の係合片と凹所１１ｅとの係合部を介して同図中矢印Ｔ２で示すように縦板ｂ５にも支持され、横仕切り板ｂ６のみに荷重が集中することが回避されるとともに、平板アーム２それ自身の厚み方向の剛性も高められるものことになる。
【００２８】
また、図５及び図１０に示す閉扉時には平板アーム２の軸孔２２ａの周囲に設けた押付け部２ｘと当て板５の立片５２の小口に設定した係止面５ｘとは離れているのに対して、図７及び図１１に示す開扉時には、前記平板アーム２の押付け部２ｘが所定の開き角度において当て板５の係止面５ｘに突き当たって係止され、それ以上に扉２が開くことを規制するストッパとして機能する。
【００２９】
その際、受け具３の一部であって当て板５の立片５２に臨む位置に存する壁面３６ａが受圧面となるだけでなく、第２の凹部３６において水平片５１に臨む位置に存する壁面３６ｄも受圧面となるように構成してあり、平板アーム２の押付け部２ｘから立片５２を介して当て板５に働く押し付け力を、前記立片５２に臨む受圧面３６ａ及び前記水平片５１に臨む受圧面３６ｄの双方で受けるようにしている。また、平板アーム２の押付け部２ｘが当て板５の係止面５ｘに押し付けられた際の反力の一部は、図１１に示すように平板アーム２とヒンジ軸４の嵌合部Ｚにおいても部材の剛性によって受け止められることになる。
【００３０】
なお、平板アーム２の基端片２１には係止壁２１ｗが形成してあるため、当該平板アーム２を止着しているねじ（図示省略）が何らかの原因で外れたとしても、当該係止壁２１ｗが横仕切り板ｂ６のスリット１１ａの内面に突き当たることによって平板アーム２の脱落防止が図られるようにしている。
【００３１】
以上のように、本実施形態の収納装置Ｂは、収納スペースを上下方向に区画する横仕切り板ｂ６と、この横仕切り板ｂ６に隣接する位置にあって前記収納スペースを左右方向に区画する縦板ｂｓとにまたがって補強板である平板アーム２を装着し、この平板アーム２にヒンジ軸４を介して扉１２を連結することにより蝶番装置Ａを構成したものである。このように、横仕切り板ｂ６は平板アーム２によって縦板ｂｓに連結され、平板アーム２から横仕切り板ｂ６に作用する扉１２の荷重は縦板ｂｓにおいても支持されるので、横仕切り板ｂ６が補強され、同時に平板アーム２自体の厚み方向の剛性も高められることになる。このため、簡単な構造で、扉１２の適正な支持と平板アーム２の変形防止とを図り、信頼性と耐久性を有効に高めることができる。
【００３２】
具体的には、収納スペースを上下方向に区画する横仕切り板ｂ６に平板アーム２の基端を固定し先端を横仕切り板ｂ６の前端から突出させた位置に配するとともに、扉１２側に受け具３を取り付け、平板アーム２の先端と受け具３の間をヒンジ軸４で連結して蝶番装置Ａを構成したものであり、前記平板アーム２の先端側の一部に係合部である係合片２２ｂを設定するとともに、収納スペースを左右方向に区画する縦板ｂｓの一部に前記平板アーム２の厚みに略対応する凹所である切欠１１ｅを設け、前記係合片２２ｂを前記切欠１１ｅに係合させた状態で前記平板アーム２の基端を前記横仕切り板ｂ６に固定している。
【００３３】
このように構成することで、横仕切り板ｂ６は平板アーム２によって縦板ｂｓに連結され、平板アーム２から横仕切り板ｂ６に作用する扉１２の荷重は切欠１１ｅにおいて縦板ｂｓにも支持され、平板アーム２自体の厚み方向の剛性も高められることになる。このため、簡単な構造で、扉１２の適正な支持と平板アーム２の変形防止とを同時に図ることが可能となる。
【００３４】
より具体的には、平板アーム２が一方向に延びる基端片２１及び前記一方向と交叉する方向に延びる先端片２２を有するほぼＬ字形をなし、先端片２２の先端にヒンジ軸４の連結部である軸孔２２ａを設定しており、ヒンジ軸４を扉１２の開閉に適した位置に持ち出すことができるものであるが、同時に先端片２２の先端に設定した軸孔２２ａが不安定な片持ち支持になり易いところ、その軸孔２２ａの近傍において前記一方向側へ偏位した位置に前記切欠１１ｅへの係合部として係合片２２ｂを設けているので、荷重作用点の近傍を適切に支持することができるようになる。
【００３５】
特に、縦板ｂｓに切欠１１ｅを設けて凹所としているため、収納装置本体１１側への加工は縦板ｂｓを切欠加工するだけの簡単なもので済み、また、縦板ｂｓが板金製のものであり板金を折り曲げたコーナー部に前記切欠１１ｅを形成しており、当該コーナー部の強度を利用することによって、係合片２２ｂを介して平板アーム２に対する支持状態がより確実となり、平板アーム２自身の剛性も一層向上することになる。
【００３６】
さらに、横仕切り板ｂ６の前端にスリット１１ａを形成し、前方から平板アーム２の基端及び先端の係合片２２ｂを前記スリット１１ａ及び前記切欠１１ｅに同時に差し込む位置関係に設定しているので、平板アーム２の取り付けは従来通り簡素に行うことができる。
【００３７】
この場合、平板アーム２が一方向に延びる基端片２１及び前記一方向と交叉する方向に延びる先端片２２を有するほぼＬ字形をなすため、横仕切り板ｂ６のスリット１１ａの一部を破断してスリット１１ａを縦板ｂｓの切欠１１ｅに連通させることもできるが、本実施形態では、先端片２２の先端の係合片２２ｂを前記基端片２１と離間した位置において前記一方向に突出させて設けるとともに、これに対応して、横仕切り板ｂ６のスリット１１ａと縦板ｂｓの切欠１１ｅとの間を離間させて設け、スリット１１ａと切欠１１ｅに跨ぐように基端片２１と係合片２２ｂとを差し込むようにしているので、横仕切り板ｂ６のスリット１１ａが破断されることを回避して、スリット１１ａ周縁の強度を有効に確保することができる。
【００３８】
とりわけ、本実施形態では、横仕切り板ｂ６に、上の扉１２を支持する平板アーム２（２ａ１）と下の扉１２を支持する平板アーム２（２ａ２）を上下のスリット１１ａ（１１ａ１、１１ａ２）を介して取り付けるとともに、それらの平板アーム２の先端を縦板ｂｓの対応位置に設けた切欠１１ｅにそれぞれ係合させており、上下の扉１２が同じ横仕切り板ｂ６に作用することから、本発明の構造を適用することによる効果が一層顕著なものとなる。
【００３９】
なお、各部の具体的な構成は、上述した実施形態のみに限定されるものではなく、本発明の趣旨を逸脱しない範囲で種々変形が可能である。
【符号の説明】
【００４０】
２…補強板（平板アーム）
３…受け具
４…ヒンジ軸
１１ａ…スリット
１１ｅ…凹所（切欠）
１２…扉
２１…基端片
２２…先端片
２２ａ…連結部（軸孔）
２２ｂ…係合部（係合片）
Ａ…蝶番装置
Ｂ…収納装置
ｂ６…横仕切り板
ｂｓ…縦板
【図１】
0005626778.tif 000002
【図２】
0005626778.tif 000003
【図３】
0005626778.tif 000004
【図４】
0005626778.tif 000005
【図５】
0005626778.tif 000006
【図６】
0005626778.tif 000007
【図７】
0005626778.tif 000008
【図８】
0005626778.tif 000009
【図９】
0005626778.tif 000010
【図１０】
0005626778.tif 000011
【図１１】
0005626778.tif 000012